(57)【要約】【課題】複数の検出器を遊技盤に取り付ける経済的な有利性を図る。【解決手段】複数の球検出器５２乃至５５および不正検出器５６が、合成樹脂製の同一形状に構成された一種類による複数の取付具５７により、異なる別々の形態で、遊技盤１６への取付構造体としての合成樹脂製の球案内構造体４１に、取り付けられる。複数の検出器の遊技盤１６へ異なる別々の取付形態は、縦方向の取付形態と横方向の取付形態である。球検出器５２乃至５５は、同一形状である。不正検出器５６は、球検出器５２乃至５５と異なる構造である。縦方向の取付形態は、球検出器５５が遊技盤１６の裏面から裏側に直角に突出する方向に取り付けられる形態である。横方向の取付形態は、球検出器５２乃至５４および不正検出器５６が遊技盤１６の裏面に沿って横長に取り付けられる形態である。【選択図】図１
2006230554.tif 000002
【特許請求の範囲】
【請求項１】
複数の検出器を複数の取付具で遊技盤に個別に取り付ける遊技検出取付装置において、複数の取付具を同一形状に形成したことを特徴とする遊技検出取付装置。
【請求項２】
取付具が遊技盤の側への係合部を備えたことを特徴とする請求項１記載の遊技検出取付装置。
【請求項３】
請求項１記載の複数の検出器を遊技盤に同一形状に形成した複数の取付具で個別に取り付ける遊技検出取付装置に用いられる取付具であって、方形な板状の取付基盤と、取付基盤から延長して相対峙する一対の支持片と、取付基盤と一対の支持片とで囲まれた検出器を縦方向または横方向に収容するための収容部と、収容部に縦方向に収容された検出器のコネクタに対応して取付基盤に貫通孔として設けられたコネクタ用孔と、収容部に縦方向に収容される検出器の一端部を一対の支持片より取付基盤と対向する前側に突出する前開口部と、収容部に横方向に収容される検出器の両端部を一対の支持片の相対峙する方向と直交する方向で一対の支持片より横方向の外側に突出する横開口部とを備えたことを特徴とする取付具。
【請求項４】
一対の支持片が遊技盤の側への係合部を備えたことを特徴とする請求項３記載の取付具。
【発明の詳細な説明】
【技術分野】
【０００１】
本発明は、電気的な検出信号を出力する複数の検出器を遊技盤に同一形状による複数の取付具で個別に取り付ける経済的に有利な遊技検出取付装置およびそれに使用する取付具に関する。
【背景技術】
【０００２】
パチンコ遊技機には、遊技盤に設けられる通過形や取込形の入賞部品に入賞したパチンコ球（以下、球という）を検出したり、パチンコ遊技機の前側から内部に挿入されたピアノ線のような鉄系金属からなる不正操作部材を検出したりするために、電気的な検出信号を出力する検出器が複数用いられている。例えば、球を検出する検出器が、チャッカと呼ばれる通過形の部品に取り付けられる場合、相対峙する一対の部品側係合片が筒状のスイッチホルダーにおける一方の開口部に設けられ、相対峙する一対の器側係合片がスイッチホルダーにおける他方の開口部に設けられ、部品側係合片が通過形の部品の裏側から通過形の部品の凹溝を経由して通過形の部品に挿入され、部品側係合片における係合爪が通過形の部品の係合部に嵌め込まれて、スイッチホルダーが通過形の部品に取り付けられる一方、検出器が通過形の部品より裏側に突出した一対の器側係合片の裏側から一対の器側係合片の間を経由してスイッチホルダーの内部に挿入されるのに伴い、器側係合片における係合爪が検出器の裏側に係合することによって、検出器が通過形の部品に取り付けられる。しかしながら、検出器を通過形の部品に１つの形態で取り付ける構造であるので、検出器を通過形の部品に上記と同じスイッチホルダーを使用して別の形態に取り付けることができない。このため、複数の検出器を異なる別々の形態で取り付ける場合、スイッチホルダーも異なる別々の形態に合わせて形成することが必要となり、不経済であるので、にわかに採用しがたい。
【特許文献１】実用新案登録第２５５９９６１号公報
【発明の開示】
【発明が解決しようとする課題】
【０００３】
発明が解決しようとする問題点は、複数の検出器を互いに異なる形態で取り付ける場合に、スイッチホルダーの形状も異なることから、不経済であるという点である。
【課題を解決するための手段】
【０００４】
本発明に係る遊技検出取付装置は、複数の検出器を複数の取付具で遊技盤に個別に取り付ける遊技検出取付装置において、複数の取付具が同一形状に形成されたことを最も主要な特徴とする。本発明に係る遊技検出取付装置では、取付具が遊技盤の側への係合部を備えてもよい。本発明に係る取付具は、本発明に係る複数の検出器を遊技盤に同一形状に形成した複数の取付具で個別に取り付ける遊技検出取付装置に用いられる取付具であって、方形な板状の取付基盤と、取付基盤から延長して相対峙する一対の支持片と、取付基盤と一対の支持片とで囲まれた検出器を縦方向または横方向に収容するための収容部と、収容部に縦方向に収容された検出器のコネクタに対応して取付基盤に貫通孔として設けられたコネクタ用孔と、収容部に縦方向に収容される検出器の一端部を一対の支持片より取付基盤と対向する前側に突出する前開口部と、収容部に横方向に収容される検出器の両端部を一対の支持片の相対峙する方向と直交する方向で一対の支持片より横方向の外側に突出する横開口部とを備えことを最も主要な特徴とする。本発明に係る取付具では、一対の支持片が遊技盤の側への係合部を備えてもよい。
【発明の効果】
【０００５】
本発明に係る遊技検出取付装置および取付具は、複数の検出器が、遊技盤に、同一形状に構成された複数の取付具で、縦方向や横方向の異なる形態に個別に取り付けられるので、複数の取付具のそれぞれを縦方向や横方向の異なる形態に対応して異なる形状に構成した場合に比べ、複数の取付具が一種類でよく、経済的に有利であるという利点がある。取付具が遊技盤の側への係合部を備えていれば、取付具を止ねじで取り付ける場合に比べ、取付操作や取外操作が容易であるという利点がある。
【発明を実施するための最良の形態】
【０００６】
図１乃至図１２は、発明を実施するための最良の形態である。図１は、遊技検出取付装置の裏面を示す。図２は、球検出器５５の縦方向の取付形態を分解して示す。図３は、球検出器５５の縦方向の取付形態の裏面を示す。図４は、図３をＡ−Ａ線に沿い切断した断面を示す。図５は、球検出器５２の横方向の取付形態を分解して示す。図６は、図５のＢ−Ｂ線に沿い切断した球検出器５２の横方向の取付形態の断面を示す。図７は、図５のＣ−Ｃ線に沿い切断した球検出器５２の横方向の取付形態の断面を示す。図８は、図５のＤ−Ｄ線に沿い切断した球検出器５２の横方向の取付形態の断面を示す。図９は、不正検出器５６の横方向の取付形態を分解して示す。図１０は、不正検出器５６の横方向の取付形態の裏面を示す。図１１は、パチンコ遊技機の正面を示す。図１２は、遊技盤１６の裏面を示す。この明細書において、「前」、「後」、「裏」、「左」、「右」、「上」、「下」の方向は、図１１の状態に遊技機枠１を置いて図１１の紙面の前側から見た場合に特定される方向であり、また、図１の状態に遊技盤１６を置いて矢印Ａで示す方向から見た場合に特定される方向である。「後」と「裏」とは同じ方向である。
【０００７】
図１１を参照し、パチンコ遊技機について説明する。パチンコ遊技機は、パチンコ遊技店の島と呼ばれる図外の遊技機設置設備に取り付けられる遊技機枠１の内部に、遊技盤１６を収容した構造である。遊技機枠１は、固定枠２の前側に可動枠３を、左側に位置するヒンジ４を中心として固定枠２の前側で前側に開かれかつ後側に閉じられるように、片開き可能に備え、可動枠３の前側に前扉５および球皿構造体６を、個別に左側に位置するヒンジ７を中心として可動枠３の前側で前側に開かれかつ後側に閉じられるように、片開き可能に備える。固定枠２は、遊技機設置構造体に取り付けるための外枠とも呼ばれる。可動枠３は、遊技盤１６を取り付ける前枠とも呼ばれる。可動枠３の右側部には、施錠装置８が設けられる。閉じられた球皿構造体６で覆われる可動枠３の前面には、球発射機構９が設けられる。前扉５は、パネル枠とも呼ばれ、前後方向に貫通する窓１０を囲む額縁形状である。前扉５には、前面パネル１１が、窓１０を覆う格好で、裏面に取り付けられる。前面パネル１１は、光を透過する性質の有るガラスまたは合成樹脂などの材料からなる板状である。球皿構造体６は、球皿部１２および球発射操作機構１３を、球皿構造体６の前面から前側に突出した形態に備える。
【０００８】
そして、遊技機枠１では、可動枠３が閉じられて固定枠２に図外のロック機構で開閉不能に支持され、前扉５および球皿構造体６が閉じられて可動枠３に図外のロック機構で開閉不能に支持された場合、遊技店の店員が図外のキープレート（鍵）を遊技機枠１の前側から施錠装置８の鍵穴１４に挿入し、当該キープレートを例えば右側に９０度回転操作すると、固定枠２と可動枠３とのロック機構による支持形態が解除される。この支持形態の解除後に、店員が可動枠３を前側に引くことによって、可動枠３はヒンジ４を中心として前側に片開きされる。また、上記施錠装置８の鍵穴１４に挿入されたキープレートが例えば左側に９０度回転操作されると、可動枠３と前扉５とのロック機構による支持形態が解除される。この支持形態の解除後に、店員が前扉５を前側に引くことによって、前扉５はヒンジ７を中心として前側に片開きされる。このように、前扉５が前側に開かれた状態において、店員が可動枠３の前面に設けられた図外のロック解除操作体を操作すると、可動枠３と球皿構造体６とのロック機構による支持形態が解除される。この支持形態の解除後に、店員が球皿構造体６を前側に引くことによって、球皿構造体６はヒンジ７を中心として前側に片開きされる。
【０００９】
遊技盤１６は、方形な板状の前面に内ガイドレール１７と外ガイドレール１８とで囲まれる内側の遊技領域１９を備え、遊技領域１９にセンター飾り部品２０、通過部品２１、一般入賞部品２２；２３；２４；２５、始動入賞部品２６、可変入賞部品２７、球戻り防止弁２８、球反発体２９、アウト口３０、図外のサイドランプ、図外の風車、図外の遊技釘などの前部品を備える。内ガイドレール１７の左側部と外ガイドレール１８の左側部との間の隙間は、球発射通路３１である。通過部品２１は、遊技領域１９の上方から入った球を遊技盤１６の裏側に導くことなく、遊技領域１９の下方に排出するチャッカとも呼ばれ、遊技領域１９から球が入ると、普通図柄表示器３２による普通図柄変動遊技を行わせ、賞球として定められた個数の球を遊技者に払い出さない、通過形の部品であって、球検出器３３を備える。球検出器３３は、通過部品２１を上方から下方に通過する球を電気的に検出した球検出信号を主制御装置に出力する。
【００１０】
一般入賞部品２２乃至２５、始動入賞部品２６、可変入賞部品２７は、遊技領域１９から入った球を遊技盤１６の裏側に排出する取込形の入賞部品である。一般入賞部品２２乃至２５は、遊技領域１９から球が入賞すると、賞球として定められた個数の球を遊技者に払い出す、入賞部品である。始動入賞部品２６は、遊技領域１９から球が入賞すると、特別図柄表示器３４による特別図柄変動遊技を行わせる入賞部品であって、賞球として定められた個数の球を遊技者に払い出す形態である。始動入賞部品２６は、普通図柄変動遊技の結果として、普通図柄表示器３２が当たり図柄を停止して表示した場合、遊技領域１９と平行して左右に開閉する、一対の羽根３５を備えた、電動チューリップとして構成され、球検出器３６を備える。球検出器３６は、遊技領域１９から始動入賞部品２６に入賞した球を電気的に検出した球検出信号を主制御装置に出力する。可変入賞部品２７は、アタッカまたは大入賞口と呼ばれ、特別図柄変動遊技の結果として特別図柄表示器３４が当たり図柄を停止して表示した場合、可変入賞部品２７の前面に存在する開閉体３７が所定回数または所定時間だけ前後方向に開閉する大当たり遊技を行い、開閉体３７の開放中に、遊技領域１９から球が入賞すると、賞球として定められた個数の球を遊技者に払い出す入賞部品であって、球検出器３８を備える。開閉体３７が閉じると、遊技領域１９から球が可変入賞部品２７に入賞しない。球検出器３８は、遊技領域１９から可変入賞部品２７に入賞した球を電気的に検出した球検出信号を主制御装置に出力する。
【００１１】
パチンコ遊技機において、前扉５が可動枠３の前側に開かれ、遊技盤１６の前面が前側に向けられるように、遊技盤１６が可動枠３に装着された後、前扉５が閉じられて可動枠３に開閉不能に支持されると、遊技盤１６の前面が前扉５および前面パネル１１で被覆され、遊技盤１６の前面に設けられた前部品が遊技機枠１の前側から前面パネル１１を通して見える。前扉５と可動枠３および球皿構造体６が開閉不能に閉じられ、主制御装置、演出制御装置、発射制御装置、賞球制御装置などの制御装置が電力供給によって起動し、遊技者が球を球皿部１２に入れた状態において、遊技者が球発射操作機構１３を操作すると、球発射機構９が球皿部１２から球発射機構９に供給された球を球発射操作機構１３の操作量に応じた発射制御装置からの発射出力で１個ずつ球発射通路３１に向けて発射する。球発射通路３１から球戻り防止弁２８を押し開けて遊技領域１９に到達した球は、遊技領域１９と前面パネル１１との間の空間を上方から下方に流れる過程において、前部品に衝突して流れる方向を変えて、通過部品２１、一般入賞部品２２乃至２５、始動入賞部品２６、可変入賞部品２７に入る。一般入賞部品２２乃至２５、始動入賞部品２６、可変入賞部品２７に入らなかった球は、遊技領域１９の最下部に到達してアウト口３０を経由して遊技盤１６の裏側に排出される。
【００１２】
図１２を参照し、遊技盤１６の裏側の構造について説明する。遊技盤１６の裏面には、球案内構造体４１が取り付けられる。球案内構造体４１は、球通路形成部４２；４３；４４；４５、集合通路形成部４６；４７、始動入賞逃部４８、可変入賞逃部４９、図柄用孔５０を一体に備えた、合成樹脂からなる部品である。球通路形成部４２は、一般入賞部品２２から遊技盤１６の裏側に排出された球を下方に誘導する内部通路を備える。球通路形成部４３は、一般入賞部品２３から遊技盤１６の裏側に排出された球を下方に誘導する内部通路を形成する。
【００１３】
球通路形成部４４は、一般入賞部品２４から遊技盤１６の裏側に排出された球を下方に誘導する内部通路を形成する。球通路形成部４５は、一般入賞部品２５から遊技盤１６の裏側に排出された球を下方に誘導する内部通路を形成する。集合通路形成部４６は、球通路形成部４２の内部通路および球通路形成部４３の内部通路を流下した球を集合して球案内構造体４１の下方に排出する内部通路を形成する。集合通路形成部４７は、球通路形成部４４の内部通路および球通路形成部４５の内部通路を流下した球を集合して球案内構造体４１の下方に排出する内部通路を形成する。始動入賞逃部４８は、始動入賞部品２６の遊技盤１６から裏側に突出した裏機構部を逃げる、前後方向への貫通孔として形成される。可変入賞逃部４９は、可変入賞部品２７の遊技盤１６から裏側に突出した裏機構部を逃げる、前後方向への貫通孔として形成される。図柄用孔５０は、球案内構造体４１の裏面に取り付けられた特別図柄表示器３４の表示画面と対向し、特別図柄表示器３４の表示画面に表示される図柄や背景などの図柄を図１１のセンター飾り部品２０における中央の光透過性の有る保護面を通して遊技機枠１の前側から見せるための、前後方向への貫通孔として形成される。
【００１４】
球通路形成部４２乃至４５には、球検出器５２；５３；５４；５５が個別に設置される。球検出器５２は、一般入賞部品２２から遊技盤１６の裏側に排出されて球通路形成部４２の中を流れる球を電気的に検出した球検出信号を主制御装置に出力する。球検出器５３は、一般入賞部品２３から遊技盤１６の裏側に排出されて球通路形成部４３の中を流れる球を電気的に検出した球検出信号を主制御装置に出力する。球検出器５４は、一般入賞部品２４から遊技盤１６の裏側に排出されて球通路形成部４４の中を流れる球を電気的に検出した球検出信号を主制御装置に出力する。球検出器５５は、一般入賞部品２５から遊技盤１６の裏側に排出されて球通路形成部４５の中を流れる球を電気的に検出した球検出信号を主制御装置に出力する。球案内構造体４１の裏面には、不正検出器５６が設けられる。不正検出器５６は、遊技機枠１（図１１参照）の前側から内部に挿入されたピアノ線のような鉄系金属からなる図外の不正操作部材を検出した不正検出信号を主制御装置に出力する。
【００１５】
図１を参照し、複数の検出器を球検出器５２乃至５５と不正検出器５６とし、これらの球検出器５２乃至５５および不正検出器５６を遊技盤１６に同一形状による複数の取付具５７で個別に取り付ける場合を例とした、遊技検出取付装置の構造について説明する。遊技検出取付装置は、複数の球検出器５２乃至５５および不正検出器５６が、合成樹脂製の同一形状に構成された複数の取付具５７により、異なる別々の形態で、遊技盤１６への取付構造体としての合成樹脂製の球案内構造体４１に、取り付けられる。複数の検出器の遊技盤１６への異なる別々の取付形態は、縦方向の取付形態と横方向の取付形態である。球検出器５２乃至５５は、同一形状である。不正検出器５６は、球検出器５２乃至５５と異なる構造である。縦方向の取付形態は、球検出器５５が遊技盤１６の裏面から裏側に直角に突出する方向に取り付けられる形態である。横方向の取付形態は、球検出器５２乃至５４および不正検出器５６が遊技盤１６の裏面に沿って横長に取り付けられる形態である。
【００１６】
図２を参照し、縦方向の取付形態の構造について説明する。球検出器５５は、合成樹脂からなる器体６１に電気的な検出素子６２や検出回路基板６３を内蔵する。器体６１は、長方形の上面６４、長方形の下面６５、長方形の左面６６、長方形の右面６７、長方形の前面６８、長方形の後面６９からなる長方六面体として形成された帯板状である。器体６１の前部には、球検出孔７０が、器体６１の上面６４と下面６５とにわたる上下方向への貫通孔として形成される。器体６１の後面６９には、コネクタ７１が、後面６９から裏側に突出して設けられる。コネクタ７１には、主制御装置からの配線７２の端部に結線されたコネクタ７３が嵌め込まれて接続される。コネクタ７１とコネクタ７３とが互いに接続されることによって、検出素子６２を検出動作する電力が主制御装置から配線７２とコネクタ７３およびコネクタ７１を経由して検出回路基板６３に供給され、検出素子６２が球検出孔７０を通過した球を検出した球検出信号は検出回路基板６３からコネクタ７１とコネクタ７３および配線７２と経由して主制御装置に供給される。
【００１７】
取付具５７は、取付基盤７５、一対の支持片７６、一対の係合部７７、収容部７８、コネクタ用孔７９を備える。取付基盤７５は、球検出器５５の後面６９よりも大きい方形な板状である。一対の支持片７６は、取付基盤７５の相対峙する一対の縁部から前側に延長して相対峙する板状であって、取付基盤７５との連接部を中心として一対の支持片７６の前部が互いに近づく方向に撓んだり互いに離れる方向に撓んだりする弾性を有する。一対の支持片７６が取付基盤７５との連接部を中心として互いに近づく方向に撓み、一対の係合部７７が一対の具支持体８７における相対峙する内側面間を経由して掛止部８８に取り込まれて係合する場合、一対の支持片７６が球検出器５５の上面６４および下面６５に接触しないように、一対の支持片７６における相対峙する内側面間の寸法は、球検出器５５における上面６４と下面６５との間の寸法よりも大きい。収容部７８は、取付基盤７５と一対の支持片７６とで囲まれた前方および左右の横方向に開口した形状であって、図１の球検出器５２乃至５５および不正検出器５６を縦方向または横方向に収容するための空間である。コネクタ用孔７９は、収容部７８に縦方向の形態で収容される球検出器５５のコネクタ７１に対応して取付基盤７５に前後方向への貫通孔として設けられ、コネクタ７１を収容部７８から取付基盤７５の外側に突出可能な大きさである。一対の係合部７７は、一対の支持片７６の前部に支持片７６の外側面から外側に突出したフックとして個別に設けられる。
【００１８】
球案内構造体４１の球通路形成部４５は、球案内構造体４１の裏面から裏側に突出して相対峙する一対の側壁８１と一対の側壁８１の後縁部を互いにつなぐ裏壁８２とによって、遊技盤１６の方向である前側に開口した形態に形成され、球案内構造体４１の前面が遊技盤１６の裏面に接触して取り付けられることによって、球案内構造体４１の前側の開口が遊技盤１６の裏面で塞がれ、遊技盤１６の裏面と一対の側壁８１および裏壁８２とによって、球を上方から下方に流すための内部通路８３が形成される構造である。球通路形成部４５の裏壁８２には、器挿入孔８４が、球検出器５５における球検出孔７０の存在する前部を球通路形成部４５の裏側から内部通路８３に挿入するための、前後方向への貫通孔として形成される。球案内構造体４１には、器受止部８５が、器挿入孔８４から内部通路８３に挿入された球検出器５５の前面６８を受け止めるための、部材として、器挿入孔８４と対応する位置に、球通路形成部４５における前側の開口を塞ぐ形態に設けられる。
【００１９】
一対の側壁８１の互いに相対峙する内側面および裏壁８２には、器取付溝８６が、球検出器５５の左面６６の側および右面６７の側における一対の側部を、球通路形成部４５の裏側から内部通路８３に挿入して上下方向にがたつかないように支持するための、溝として形成される。裏壁８２には、一対の具支持体８７が、器挿入孔８４を境として分かれて相対峙し、裏壁８２から裏側に突出して設けられる。一対の支持片７６が取付基盤７５との連接部を中心として互いに近づく方向に撓み、一対の係合部７７が一対の具支持体８７における相対峙する内側面間を経由して掛止部８８に取り込まれて係合する場合、一対の支持片７６が一対の具支持体８７を相対峙する方向の外側に押しつつ突っ張っても、一対の具支持体８７は撓まない強度を有する。一対の具支持体８７における相対峙する内側面には、掛止部８８が、具支持体８７の内側面から内部への窪みとして個別に設けられる。
【００２０】
図２乃至図４を参照し、球検出器５５を遊技盤１６の裏面に当該裏面から裏側に直交する縦方向に取り付ける場合について説明する。図２において、球検出器５５の前部が球通路形成部４５の裏側から器挿入孔８４を経由して内部に挿入される場合、球検出器５５の左面６６の側および右面６７の側における一対の側部が器取付溝８６に挿入され、器取付溝８６に挿入された球検出器５５の前面６８が器受止部８５に接触して受け止められ、球検出孔７０が内部通路８３に配置される。これによって、内部通路８３を上方から下方に流れる球が球検出孔７０を通過し得る形態になる。
【００２１】
その後、作業者が取付具５７を手で持ち、取付基盤７５が後側に向けられ、一対の係合部７７が球通路形成部４５の裏壁８２の方向である前側に向けられ、一対の支持片７６の内側面が球検出器５５における球通路形成部４５から裏側に突出する上面６４および下面６５と対向する格好で、一対の支持片７６が球検出器５５の裏側から球検出器５５と一対の具支持体８７との間に個別に挿入される。これに伴い、球検出器５５における球通路形成部４５から裏側に突出する後部が取付具５７の収容部７８に収容部７８の前側開口から取り込まれ、球検出器５５のコネクタ７１がコネクタ用孔７９から取付具５７の裏側に突出する。この場合、一対の係合部７７が一対の具支持体８７の内側面に接触して後側から前側に移動し、一対の支持片７６が取付基盤７５との連接部を中心として互いに近づく方向に撓む。
【００２２】
そして、一対の係合部７７が一対の掛止部８８に取り込まれて係合すると、取付基盤７５の前面が球検出器５５におけるコネクタ７１の周りの後面６９に接触するかまたは接触する程度に近づいて対向し、一対の支持片７６が取付基盤７５との連接部を中心として互いに離れる方向に復元し、一対の支持片７６における係合部７７の存在する外側面が一対の具支持体８７における掛止部８８の存在する内側面に突っ張るように接触する。これによって、図３および図４に示すように、器取付溝８６に装着された球検出器５５が器受止部８５および取付基盤７５で前後方向から挟まれ、球検出器５５が球通路形成部４５の一対の側壁８１で左右方向から挟まれ、球検出器５５が球通路形成部４５を通して遊技盤１６の裏面に当該裏面から裏側に直交する縦方向に取り付けられる。
【００２３】
図５を参照し、球検出器５２乃至５４の代表を球検出器５２とした横方向の取付形態の構造について説明する。球検出器５２は、器体９１、検出素子９２、検出回路基板９３、上面９４、下面９５、左面９６、右面９７、前面９８、後面９９、球検出孔１００、コネクタ１０１を備える。球検出器５２は図２の球検出器５５と同じ構造であり、器体９１、検出素子９２、検出回路基板９３、上面９４、下面９５、左面９６、右面９７、前面９８、後面９９、球検出孔１００、コネクタ１０１は、図２の器体６１、検出素子６２、検出回路基板６３、上面６４、下面６５、左面６６、右面６７、前面６８、後面６９、球検出孔７０、コネクタ７１と同じであるので、図２における符号と同じ符号を付けるべきところ、説明を明確にするために、異なる符号を付した。配線１０２は、図２の配線７２に類似する。コネクタ１０３は、図２のコネクタ７３に類似する。
【００２４】
球案内構造体４１の球通路形成部４２は、球案内構造体４１の裏面から裏側に突出して相対峙する一対の側壁１１１と一対の側壁１１１の後縁部を互いにつなぐ裏壁１１２とによって、遊技盤１６の方向である前側に開口した形態に形成され、球案内構造体４１の前面が遊技盤１６の裏面に接触して取り付けられることによって、球案内構造体４１の前側の開口が遊技盤１６の裏面で塞がれ、遊技盤１６の裏面と一対の側壁１１１および裏壁１１２とによって、球を上方から下方に流すための内部通路１１３が形成される構造である。球通路形成部４２の左側または右側の側壁１１１および裏壁１１２には、器挿入孔１１４が、球検出器５２における球検出孔１００の存在する前部を球通路形成部４２の裏側から内部通路１１３に挿入するための、孔として形成される。器挿入孔１１４の側壁１１１に形成された部分は、球案内構造体４１の裏面と平行する左右方向または上下方向の横方向への貫通孔である。器挿入孔１１４の裏壁１１２に形成された部分は、前後方向への貫通孔である。球案内構造体４１には、器受止部１１５が、器挿入孔１１４から内部通路１１３に挿入された球検出器５２の左面９６または右面９７を受け止めるための、部材として、器挿入孔１１４と対応する位置に、球通路形成部４２における前側の開口を塞ぐ形態に設けられる。
【００２５】
一対の側壁１１１の互いに相対峙する内側面と器受止部１１５の裏壁１１２の方向に位置する裏面および球案内構造体４１の裏面には、器取付溝１１６が、球検出器５２における左面９６または右面９７および前面９８の方向に位置する側部を、球通路形成部４２の裏側から内部通路１１３に挿入して上下方向にがたつかないように支持するための、溝として形成される。球案内構造体４１には、一対の具支持体１１７が、器挿入孔１１４の形成された側壁１１１の側に位置し、器挿入孔１１４を境として分かれて相対峙し、球案内構造体４１の裏面から裏側に突出して設けられる。取付具５７における一対の支持片７６が取付基盤７５との連接部を中心として互いに近づく方向に撓み、一対の係合部７７が一対の具支持体１１７における相対峙する内側面間を経由して掛止部１１８に取り込まれて係合する場合、一対の支持片７６が一対の具支持体１１７を相対峙する方向の外側に押しつつ突っ張っても、一対の具支持体１１７は撓まない強度を有する。一対の具支持体１１７における相対峙する内側面には、掛止部１１８が、具支持体１１７の内側面から内部への窪みとして個別に設けられる。
【００２６】
図５乃至図８を参照し、球検出器５２を遊技盤１６の裏面に当該裏面と並行する横方向に取り付ける場合について説明する。図５において、器挿入孔１１４が一対の側壁１１１における左側に位置する側壁１１１に設けられているので、球検出器５２の左面９６が球通路形成部４２の裏壁１１２の方向に向けられ、球検出器５２の前部が球通路形成部４２の裏側から器挿入孔１１４を経由して内部に挿入される。この場合、球検出器５２における左面９６または右面９７および前面９８の方向に位置する側部が器取付溝１１６に挿入され、器取付溝１１６に挿入された球検出器５２の左面９６が器受止部１１５および球案内構造体４１に接触して受け止められ、球検出孔１００が内部通路１１３に配置される。これによって、内部通路１１３を上方から下方に流れる球が球検出孔１００を通過し得る形態になる。
【００２７】
その後、作業者が取付具５７を手で持ち、取付基盤７５が後側に向けられ、一対の係合部７７が球通路形成部４２の裏壁１１２の方向である前側に向けられ、一対の支持片７６の内側面が球検出器５２における球通路形成部４２から裏側に突出する上面９４および下面９５と対向する格好で、一対の支持片７６が球検出器５２の裏側から球検出器５２と一対の具支持体１１７との間に個別に挿入される。これに伴い、球検出器５２における球通路形成部４２から裏側に突出する後部が取付具５７の収容部７８に収容部７８の前側開口から取り込まれる。これによって、器体９１は、収容部７８の横側開口部を経由して一対の支持片７６よりも横方向の外側に突出し、球検出器５２のコネクタ１０１が取付具５７の側方で球案内構造体４１の裏面の側に突出する。この場合、一対の係合部７７が一対の具支持体１１７の内側面に接触して後側から前側に移動し、一対の支持片７６が取付基盤７５との連接部を中心として互いに近づく方向に撓む。
【００２８】
そして、一対の係合部７７が一対の掛止部１１８に取り込まれて係合すると、一対の支持片７６が取付基盤７５との連接部を中心として互いに離れる方向に復元し、一対の支持片７６における係合部７７の存在する外側面が一対の具支持体１１７における掛止部１１８の存在する内側面に突っ張るように接触する。これによって、図６乃至図８に示すように、器取付溝１１６に装着された球検出器５２が器受止部１１５と取付基盤７５と器取付溝１１６の前側に位置する球案内構造体４１とで前後方向から挟まれ、球検出器５２が球通路形成部４２の一対の側壁１１１のうちにおける右側に位置する側壁１１１および器取付溝１１６の左側に位置する球案内構造体４１とで左右方向から挟まれ、球検出器５２が球通路形成部４２を介して遊技盤１６の裏面に当該裏面から裏側に直交する横方向に取り付けられる。
【００２９】
図９を参照し、不正検出器５６を例とした横方向の取付形態の構造について説明する。不正検出器５６は、合成樹脂からなる器体１２１に電気的な検出素子１２２や検出回路基板１２３を内蔵する。検出素子１２２は、器体１２１の前部に位置する。検出回路基板１２３は器体１２１の後部に位置する。器体１２１は、長方形の上面１２４、長方形の下面１２５、長方形の左面１２６、長方形の右面１２７、長方形の前面１２８、長方形の後面１２９からなる長方六面体として形成された帯板状である。器体１２１の後面１２９には、コネクタ１３１が、後面１２９から裏側に突出して設けられる。コネクタ１３１には、主制御装置からの配線１３２の端部に結線されたコネクタ１３３が嵌め込まれて接続される。コネクタ１３１とコネクタ１３３とが互いに接続されることによって、検出素子１２２を検出動作する電力が主制御装置から配線１３２とコネクタ１３３およびコネクタ１３１を経由して検出回路基板１２３に供給され、検出素子１２２が不正防止部材を検出した不正検出信号は検出回路基板１２３からコネクタ１３１とコネクタ１３３および配線１３２と経由して主制御装置に供給される。
【００３０】
球案内構造体４１の裏面には、一対の器搭載台１３５および一対の具支持体１３６が、当該裏面から裏側に突出して設けられる。一対の器搭載台１３５の相対峙する方向と一対の具支持体１３６の相対峙する方向とが、球案内構造体４１の裏面と平行な方向で、互いに直交する。つまり、一対の器搭載台１３５の相対峙する方向が球案内構造体４１の裏面と平行な方向で左右方向である場合、一対の具支持体１３６の相対峙する方向は球案内構造体４１の裏面と平行な方向で上下方向となる。一対の器搭載台１３５の裏面には、器取付突起１３７が、不正検出器５６の器体１２１を嵌め込むための空間を囲む位置で、当該裏面から裏側に突出して設けられる。一対の支持片７６が取付基盤７５との連接部を中心として互いに近づく方向に撓み、一対の係合部７７が一対の具支持体１３６における相対峙する内側面間を経由して掛止部１３８に取り込まれて係合する場合、一対の支持片７６が一対の具支持体１３６を相対峙する方向の外側に押しつつ突っ張っても、一対の具支持体１３６は撓まない強度を有する。一対の具支持体１３６における相対峙する内側面には、掛止部１３８が、具支持体１３６の内側面から内部への窪みとして個別に設けられる。
【００３１】
図９および図１０を参照し、不正検出器５６を遊技盤１６の裏面に当該裏面と並行する横方向に取り付ける場合について説明する。図９において、不正検出器５６の左面１２６または右面１２７が球案内構造体４１の裏面の方向に向けられ、不正検出器５６の前部が右側または左側に向けられ、器体１２１が器取付突起１３７で囲まれた器体１２１を嵌め込むための空間に器取付突起１３７の裏側から挿入され、不正検出器５６の左面１２６または右面１２７が一対の器搭載台１３５の裏面に接触して受け止められる。
【００３２】
その後、作業者が取付具５７を手で持ち、取付基盤７５が後側に向けられ、一対の係合部７７が球案内構造体４１の裏面の方向である前側に向けられ、一対の支持片７６の内側面が不正検出器５６における上面６４および下面６５と対向する格好で、一対の支持片７６が不正検出器５６の裏側から不正検出器５６と一対の具支持体１３６との間に個別に挿入される。これに伴い、不正検出器５６における前後方向の中間部が取付具５７の収容部７８に収容部７８の前側開口から取り込まれる。これによって、器体１２１は、収容部７８の横側開口部を経由して一対の支持片７６よりも横方向の外側に突出し、不正検出器５６のコネクタ１３１が取付具５７の側方で球案内構造体４１の裏面の側に突出する。この場合、一対の係合部７７が一対の具支持体１３６の内側面に接触して後側から前側に移動し、一対の支持片７６が取付基盤７５との連接部を中心として互いに近づく方向に撓む。
【００３３】
そして、一対の係合部７７が一対の掛止部１３８に取り込まれて係合すると、一対の支持片７６が取付基盤７５との連接部を中心として互いに離れる方向に復元し、一対の支持片７６における係合部７７の存在する外側面が一対の具支持体１３６における掛止部１１８の存在する内側面に突っ張るように接触する。これによって、図１０に示すように、器搭載台１３５および器取付突起１３７に装着された不正検出器５６が取付基盤７５と器搭載台１３５とで前後方向から挟まれ、不正検出器５６が器取付突起１３７で左右方向から挟まれ、不正検出器５６が球案内構造体４１を介して遊技盤１６の裏面に当該裏面から裏側に直交する横方向に取り付けられる。
【００３４】
図２乃至図４のように球検出器５５を縦方向の取付形態に取り付ける場合と、図５乃至図８のように球検出器５２を横方向の取付形態に取り付ける場合と、図９および図１０のように不正検出器５６を横方向の取付形態に取り付ける場合とにおいて、図４に示す球通路形成部４５における裏壁８２の裏面と球検出器５５の後面６９との間の寸法Ｌ１と、図８に示す球案内構造体４１の裏面と球検出器５２の右面９７との間の寸法Ｌ２と、図１０に示す球案内構造体４１の裏面と不正検出器５６の右面１２７との間の寸法Ｌ３とは、互いに異なる。これに対し、使用する複数の取付具５７は同一形状であり、図２に示す取付基盤７５の前面と一対の係合部７７との間の寸法Ｌ４は１つである。そこで、図４に示す球通路形成部４５における裏壁８２の裏面と掛止部８８との間の寸法Ｌ５と、図８に示す球案内構造体４１の裏面と掛止部１１８との間の寸法Ｌ６と、図１０に示す球案内構造体４１の裏面と掛止部１３８との間の寸法Ｌ７とが異なる寸法に設定されている。これによって、球検出器５２乃至５５および不正検出器５６からなる複数の検出器が同一形状に構成された複数の取付具５７で遊技盤１６に縦方向や横方向の異なる形態で取り付けられている。
【００３５】
最良の形態によれば、球検出器５２乃至５５および不正検出器５６からなる複数の検出器が遊技盤１６に複数の取付具５７で縦方向や横方向の異なる形態に個別に取り付けられるが、複数の取付具５７が同一形状に構成されているので、複数の取付具５７のそれぞれを縦方向や横方向の異なる形態に対応して異なる形状に構成した場合に比べ、複数の取付具５７が一種類でよく、経済的に有利であるという利点がある。取付具５７の支持片７６が弾性を有し、支持片７６が具支持体８７；１１７；１３６を相対峙する方向の外側に押しつつ突っ張っても、具支持体８７；１１７；１３６は撓まない強度を有するので、取付具５７を取り付けたり取り外したりすることを繰り返し、支持片７６が破損し、取付具５７を新しい取付具５７に交換すれば、球検出器５２乃至５５および不正検出器５６を装着する部材である球案内構造体４１を使用することができるので、経済的に有利であるという利点がある。支持片７６に係合部７７を設けずに、取付具５７を球案内構造体４１に止ねじで取り付けてもよいが、係合部７７を掛止部８８；１１８；１３８に嵌め込むことによって、取付具５７を球案内構造体４１に取り付ける構造であるので、取付具５７を球案内構造体４１に止ねじで取り付ける場合に比べ、取付操作や取外操作が容易であるという利点がある。球案内構造体４１および取付具５７が合成樹脂から構成されているので、磁気を利用する不正検出器５６にも適用することができるという利点がある。
【産業上の利用可能性】
【００３６】
図１３および図１４は、異なる形態である。図１３は、球検出器３３を通過部品２１に取付具５７で取り付ける縦方向の取付形態を分解して示し、図１４は、球検出器３３を通過部品２１に取付具５７で取り付けた縦方向の取付形態の平面を示す。
【００３７】
図１３において、球検出器３３は、図１の球検出器５２乃至５５と同一形状である。球検出器３３は、器体１４１、検出素子１４２、検出回路基板１４３、上面１４４、下面１４５、左面１４６、右面１４７、前面１４８、後面１４９、球検出孔１５０、コネクタ１５１を備える。器体１４１、検出素子１４２、検出回路基板１４３、上面１４４、下面１４５、左面１４６、右面１４７、前面１４８、後面１４９、球検出孔１５０、コネクタ１５１は、図２の器体６１、検出素子６２、検出回路基板６３、上面６４、下面６５、左面６６、右面６７、前面６８、後面６９、球検出孔７０、コネクタ７１と同じであるので、図２における符号と同じ符号を付けるべきところ、説明を明確にするために、異なる符号を付した。配線１５２は、図２の配線７２に類似する。コネクタ１５３は、図２のコネクタ７３に類似する。
【００３８】
通過部品２１は、取付基部１５５、ねじ挿入孔１５６、保護突起１５７、球通過孔１５８、器挿入孔１５９、器取付溝１６０、一対の具支持体１６１、一対の掛止部１６２を備える。取付基部１５５が遊技盤１６の前側から図外の木ねじのような止ねじがねじ挿入孔１５６を経由して遊技盤１６に締結されることによって、遊技盤１６の前面である遊技領域１９に接触して取り付けられるものである。保護突起１５７は、遊技領域１９から落下する球が球検出器３３に衝突しないように球検出器３３を保護するものであって、取付基部１５５の前面に、当該前面から前側に突出して設けられる。球通過孔１５８は、２個の球が同時に通過しないが、１個の球が上方から下方に通過するように、保護突起１５７に上下方向への貫通孔として形成される。球通過孔１５８の口径（直径）は、球検出孔１５０の口径よりも小さい。
【００３９】
器挿入孔１５９は、取付基部１５５に前後方向への貫通孔として形成される。器取付溝１６０は、器挿入孔１５９から前側に延長し、球通過孔１５８を囲む保護突起１５７の内側面に形成される。一対の具支持体１６１は、器挿入孔１５９を境として上下に分かれて相対峙し取付基部１５５の裏面から裏側に突出して設けられる。取付具５７における一対の支持片７６が取付基盤７５との連接部を中心として互いに近づく方向に撓み、一対の係合部７７が一対の具支持体１６１における相対峙する内側面間を経由して掛止部１６２に取り込まれて係合する場合、一対の支持片７６が一対の具支持体１６１を相対峙する方向の外側に押しつつ突っ張っても、一対の具支持体１６１は撓まない強度を有する。一対の掛止部１６２は、一対の具支持体１６１における相対峙する内側面に、当該内側面から内部への窪みとして個別に設けられる。
【００４０】
図１３および図１４を参照し、球検出器３３を遊技盤１６の裏面に当該裏面と直交するする縦方向に取り付ける場合について説明する。図１３において、球検出器３３の前部が取付基部１５５の裏側から器挿入孔１５９を経由して内部に挿入される場合、球検出器３３の左面１４６の側および右面１４７の側における一対の側部が器取付溝１６０に挿入され、器取付溝１６０に挿入された球検出器３３の前面１４８が保護突起１５７の前部に接触して受け止められ、球検出孔１５０が球通過孔１５８に配置される。これによって、球通過孔１５８を上方から下方に流れる球が球検出孔１５０を通過し得る形態になる。
【００４１】
その後、作業者が取付具５７を手で持ち、取付基盤７５が後側に向けられ、一対の係合部７７が取付基部１５５の方向である前側に向けられ、一対の支持片７６の内側面が球検出器３３における取付基部１５５から裏側に突出する上面１４４および下面１４５と対向する格好で、一対の支持片７６が球検出器３３の裏側から球検出器３３と一対の具支持体１６１との間に個別に挿入される。これに伴い、球検出器３３における取付基部１５５から裏側に突出する後部が取付具５７の収容部７８に収容部７８の前側開口から取り込まれ、球検出器３３のコネクタ１５１がコネクタ用孔７９から取付具５７の裏側に突出する。この場合、一対の係合部７７が一対の具支持体１６１の内側面に接触して後側から前側に移動し、一対の支持片７６が取付基盤７５との連接部を中心として互いに近づく方向に撓む。
【００４２】
そして、一対の係合部７７が一対の掛止部１６２に取り込まれて係合すると、取付基盤７５の前面が球検出器３３におけるコネクタ１５１の周りの後面１４９に接触するかまたは接触する程度に近づいて対向し、一対の支持片７６が取付基盤７５との連接部を中心として互いに離れる方向に復元し、一対の支持片７６における係合部７７の存在する外側面が一対の具支持体１６１における掛止部１６２の存在する内側面に突っ張るように接触する。これによって、図１４に示すように、器取付溝１６０に装着された球検出器３３が保護突起１５７および取付基盤７５で前後方向から挟まれ、球検出器３３が取付基部１５５の一対の側壁８１で左右方向から挟まれ、球検出器３３が取付基部１５５を通して遊技盤１６の裏面に当該裏面から裏側に直交する縦方向に取り付けられる。
【００４３】
図１４において、取付基部１５５が遊技盤１６の前側から図外の木ねじのような止ねじがねじ挿入孔１５６を経由して遊技盤１６に締結されることによって、通過部品２１が遊技盤１６の前面である遊技領域１９に接触して取り付けられる。通過部品２１が遊技盤１６の遊技領域１９に取り付けられた場合、取付具５７は、遊技盤１６に形成された逃孔１６４と球案内構造体４１に形成された逃孔１６５から裏側に突出する。コネクタ１５１にはコネクタ１５３が嵌め込まれて接続される。
【００４４】
この異なる形態においても、図１４に示す取付基部１５５の裏面と球検出器３３の後面１４９との間の寸法Ｌ８は、図４に示す球通路形成部４５における裏壁８２の裏面と球検出器５５の後面６９との間の寸法Ｌ１と異なるが、取付基部１５５の裏面と掛止部１６２との間の寸法Ｌ９によって、最良の形態と同一形状の取付具５７を使用することができる。
【００４５】
図示は省略するが、図１３および図１４において、通過部品２１を始動入賞部品２６や可変入賞部品２７と読み替え、球検出器３６；３８を取付具５７で始動入賞部品２６や可変入賞部品２７に個別に取り付けることも可能である。
【００４６】
前記のように球検出器３３；３６；３８；５２乃至５５および不正検出器５６が遊技盤１６に取付具５７で個別に取り付けられることによって、遊技盤１６に取り付けるべき全ての電気的な検出器を一種類の取付具５７で取り付けることができ、経済的に有利であるという利点がある。
【００４７】
通過部品２１を、遊技領域１９から球が入ると、賞球として定められた個数の球を遊技者に払い出す、入賞部品としてもよい。この場合、通過部品２１は、一般入賞部品２２乃至２５や始動入賞部品２６などに類似し、遊技領域１９の上方から入った球を遊技盤１６の裏側に排出する形態に構成するのが好ましく、普通図柄表示器３２による普通図柄変動遊技と賞球とを行わせるための普通図柄始動入賞部品と概念され、通過形の部品でなくなり、取込形の入賞部品となる。
【００４８】
始動入賞部品２６を、遊技領域１９から球が入ると、賞球として定められた個数の球を遊技者に払い出さない、始動部品としてもよい。この場合、始動入賞部品２６は、通過部品２１に類似し、遊技領域１９の上方から入った球を遊技盤１６の裏側に導くことなく、遊技領域１９の下方に排出する形態に構成するのが好ましく、特別図柄表示器３４による特別図柄変動遊技を行わせるだけの特別図柄始動部品と概念され、取込形の入賞部品でなくなり、通過形の部品となる。
【図面の簡単な説明】
【００４９】
【図１】遊技検出取付装置示す背面図（最良の形態）。
【図２】球検出器の縦方向の取付形態を示す分解斜視図（最良の形態）。
【図３】球検出器の縦方向の取付形態を示す背面図（最良の形態）。
【図４】図３のＡ−Ａ線断面図（最良の形態）。
【図５】球検出器の横方向の取付形態を示す分解斜視図（最良の形態）。
【図６】図５のＢ−Ｂ線断面図に相当する断面図（最良の形態）。
【図７】図５のＣ−Ｃ線断面図に相当する断面図（最良の形態）。
【図８】図５のＤ−Ｄ線断面図に相当する断面図（最良の形態）。
【図９】不正検出器の横方向の取付形態を示す分解斜視図（最良の形態）。
【図１０】不正検出器の横方向の取付形態示す背面図（最良の形態）。
【図１１】パチンコ遊技機を示す正面図（最良の形態）。
【図１２】遊技盤を示す背面図（最良の形態）。
【図１３】球検出器の縦方向の取付形態を示す分解斜視図（異なる形態）。
【図１４】球検出器の縦方向の取付形態を示す断面図（異なる形態）。
【符号の説明】
【００５０】
１６  遊技盤
３３  球検出器
３６  球検出器
３８  球検出器
５２  球検出器
５３  球検出器
５４  球検出器
５５  球検出器
５６  不正検出器
５７  取付具
７７  係合部
【図１】
2006230554.tif 000003
【図２】
2006230554.tif 000004
【図３】
2006230554.tif 000005
【図４】
2006230554.tif 000006
【図５】
2006230554.tif 000007
【図６】
2006230554.tif 000008
【図７】
2006230554.tif 000009
【図８】
2006230554.tif 000010
【図９】
2006230554.tif 000011
【図１０】
2006230554.tif 000012
【図１１】
2006230554.tif 000013
【図１２】
2006230554.tif 000014
【図１３】
2006230554.tif 000015
【図１４】
2006230554.tif 000016